(57)【要約】【課題】腹巻や膝サポーターがズレることなく、重ね履きの場合よりもさらに優れた保温効果、サポーター効果を奏し、腹巻き部のピリングも防止できる圧迫固定サポーター付きタイツを提供せんとする。【解決手段】タイツ本体１０の膝部４２の内面側に別途編成された膝サポーター編物２を縫い付け、タイツ本体１０のウエスト部５３の内面側に別途編成された腹巻き編物３を縫い付けた。ウエスト部内面側に対して、腹巻き編物の上端縁および下端縁をそれぞれ縫いつけるとともに、縦方向に少なくとも一列縫い付けた。膝サポーター編物および腹巻き編物は、それぞれ少なくとも一部をパイル編みで構成した。【選択図】図１
0003123501.tif 000002
【実用新案登録請求の範囲】
【請求項１】
膝部内面側に別途編成された膝サポーター編物を縫い付けるとともに、ウエスト部内面側に別途編成された腹巻き編物を縫い付けてなることを特徴とする圧迫固定サポーター付きタイツ。
【請求項２】
ウエスト部内面側に対して、前記腹巻き編物の上端縁および下端縁をそれぞれ縫い付けるとともに、前記上端縁から下端縁に向けた縦方向に少なくとも一列縫い付けてなる請求項１記載のタイツ。
【請求項３】
前記膝サポーター編物および腹巻き編物の各編物を、それぞれ少なくとも一部をパイル編みで構成してなる請求項１または２記載のタイツ。
【請求項４】
前記膝サポーター編物の少なくとも前側部分をパイル編みで構成し、その略中央部に低着圧領域を設けてなる請求項１〜３のいずれか１項に記載のタイツ。
【請求項５】
前記低着圧領域が円形または楕円形の領域である請求項４記載のタイツ。
【請求項６】
前記膝部を、リブ編みにより高着圧に一体編成して構成し、前記膝サポーター編物をこれに重ねるように内面側に縫い付けてなる請求項１〜５のいずれか１項に記載のタイツ。
【請求項７】
前記膝部の前側部分および後側部分のそれぞれの略中央部に、着圧力が他よりも低い低着圧領域を設けてなる請求項６記載のタイツ。
【請求項８】
前記後側部分の略中央部の低着圧領域が方形または多角形の領域である請求項７記載のタイツ。
【請求項９】
前記膝部の後側部分に、リブ編みからなる生地の略中央部に平編みによる低着圧領域を設け、該後側部分の内面側に縫い付ける膝サポーター編物の後側部分の略全面を平編みによる低着圧領域としてなる請求項６〜８の何れか１項に記載のタイツ。
【請求項１０】
膝サポーター編物および腹巻き編物が縫い付けられるタイツ本体の膝部より上の太腿部からパンティ部にいたる部分を、下方に向けて次第に着圧力が大きくなるように編成してなる請求項１〜９のいずれか1項に記載のタイツ。
【考案の詳細な説明】
【技術分野】
【０００１】
本考案は、腹巻きの機能および膝サポーターの機能を備えた圧迫固定サポーター付きタイツに関する。
【背景技術】
【０００２】
下半身のうち特に腰と膝は保温することが好ましく、従来のタイツでは不十分な場合、タイツの内側に、さらに腹巻きや膝サポーターを着用する必要があった。しかしながら、このような重ね履きでは腹巻きや膝サポーターが着用時や着用後の体の動きによりズレが生じ、腹巻きはお腹の上にズレ上がり、膝サポーターは膝下にズレ落ち、着用者にとってこのようなズレは大変気になるものの、公の場所等では直すことが憚れストレスの原因となり、見苦しい光景もしばしば見掛けられる。
【０００３】
これに対し、腹巻き部や膝サポーター部を一体的に編成する生地厚感のタイツも提案されており（例えば、特許文献１、２参照。）、これによれば上記重ね履きの場合のようなズレの問題は解消される。しかしながら、とくに生地として一体編成された腹巻き部分は、内側にパイルの起毛を設けたパイル編みが採用されるが、外面側となる裏生地が構造上、ピリングを起こし易いといった欠点がある。また、一体編成された膝サポータ部は着圧力に限界があり、サポータとしての機能を十分に得ることは困難である。
【０００４】
【特許文献１】実用新案登録第３０５７１１８号公報
【特許文献１】実用新案登録第３０５２００４号公報
【考案の開示】
【考案が解決しようとする課題】
【０００５】
そこで、本考案が前述の状況に鑑み、解決しようとするところは、腹巻や膝サポーターがズレることなく、重ね履きの場合よりもさらに優れた保温効果、サポーター効果を奏し、腹巻き部のピリングも防止できるタイツを提供する点にある。
【課題を解決するための手段】
【０００６】
本考案は、前述の課題解決のために、膝部内面側に別途編成された膝サポーター編物を縫い付けるとともに、ウエスト部内面側に別途編成された腹巻き編物を縫い付けてなることを特徴とする圧迫固定サポーター付きタイツを構成した。
【０００７】
ここで、ウエスト部内面側に対して、前記腹巻き編物の上端縁および下端縁をそれぞれ縫い付けるとともに、前記上端縁から下端縁に向けた縦方向に少なくとも一列縫い付けたものが好ましい。
【０００８】
また、前記膝サポーター編物および腹巻き編物の各編物を、それぞれ少なくとも一部をパイル編みで構成したものが好ましい。
【０００９】
さらに、前記膝サポーター編物の少なくとも前側部分をパイル編みで構成し、その略中央部に低着圧領域を設けたものが好ましく、とくに前記低着圧領域が円形または楕円形の領域としたものが好ましい。
【００１０】
また、前記膝部を、リブ編みにより高着圧に一体編成して構成し、前記膝サポーター編物をこれに重ねるように内面側に縫い付けたものが好ましい。
【００１１】
そして、前記膝部の前側部分および後側部分のそれぞれの略中央部に、着圧力が他よりも低い低着圧領域を設けたものが好ましく、とくに前記後側部分の略中央部の低着圧領域が方形または多角形の領域としたものが好ましい。
【００１２】
さらに、前記膝部の後側部分に、リブ編みからなる生地の略中央部に平編みによる低着圧領域を設け、該後側部分の内面側に縫い付ける膝サポーター編物の後側部分の略全面を平編みによる低着圧領域としたものが好ましい。
【００１３】
また、膝サポーター編物および腹巻き編物が縫い付けられるタイツ本体の膝部より上の太腿部からパンティ部にいたる部分を、下方に向けて次第に着圧力が大きくなるように編成したものが好ましい。
【考案の効果】
【００１４】
以上にしてなる本願考案に係る圧迫固定サポーター付きタイツは、膝サポーター編物や腹巻き編物がタイツ本体の内側に重ねて縫い付けられ、着用時および着用後にズレることなく、また、一体編成されたものに比べて、生地の重なり部分で空気層が増え、より優れた保温効果、サポーター効果を奏する。
【００１５】
また、従来の一体編成された腹巻や膝サポーターは、内面側のパイル部に対して外面側の裏生地が薄く、構造上ピリングの発生が防止できなかったが、本考案によれば、腹巻き編物や膝サポーター編物の裏生地にタイツ本体のウエスト部や膝部が重ねられることから、ピリングの発生も防止できる。
【００１６】
ここで、ウエスト部内面側に対して、前記腹巻き編物の上端縁および下端縁をそれぞれ縫い付けるとともに、前記上端縁から下端縁に向けた縦方向に少なくとも一列縫い付けたので、取付け後の腹巻き編物のねじれ等の微小なズレも確実に防止し、良好な着用感を維持できる。
【００１７】
また、膝サポーター編物の少なくとも前側部分をパイル編みで構成し、その略中央部に低着圧領域を設けたので、着用者の膝の曲げ伸ばしを容易にしてサポート性と屈曲容易性を両立させることができ、とくに円形や楕円形の領域としたので、該領域に膝の皿部が嵌り込んで位置ズレを防止できる。。
【００１８】
また、タイツ本体の膝部をリブ編みにより高着圧に一体編成して構成し、膝サポーター編物をこれに重ねるように内面側に縫い付けたので、十分な着圧力を有し、サポート性能を維持できる。
【００１９】
また、膝部の前側部分および後側部分のそれぞれの略中央部に、着圧力が他よりも低い低着圧領域を設け、とくに前記後側部分の略中央部の低着圧領域が方形または多角形の領域としたので、着用者の膝の屈曲容易性を高められるとともに、膝関節部への刺激を防止できる。
【００２０】
とくに、前記膝部の後側部分に、リブ編みからなる生地の略中央部に平編みによる低着圧領域を設け、該後側部分の内面側に縫い付ける膝サポーター編物の後側部分の略全面を平編みによる低着圧領域としたので、前記屈曲容易性をより高め、かつ膝関節部への刺激をより確実に防止できる。
【００２１】
また、膝サポーター編物および腹巻き編物が縫い付けられるタイツ本体の膝部より上の太腿部からパンティ部にいたる部分を、下方に向けて次第に着圧力が大きくなるように編成したので、履き心地やフィット感が向上するとともに、脚の疲れやムクミを和らげ、血行の促進を図ることができる。
【考案を実施するための最良の形態】
【００２２】
次に、本考案の実施形態を添付図面に基づき詳細に説明する。
【００２３】
図１は、本考案に係る圧迫固定サポーター付きタイツの全体構成を示す説明図であり、図１〜４は代表的実施形態を示し、図中符号１はタイツ、２は膝サポーター編物、３は腹巻き編物をそれぞれ示している。
【００２４】
本実施形態に係るタイツ１は、図１及び図２に示すように、タイツ本体１０の膝部４２の内面側に別途編成された膝サポーター編物２が縫い付けられ、また、タイツ本体１０のウエスト部５３の内面側に別途編成された腹巻き編物３が縫い付けられている。
【００２５】
膝サポーター編物２および腹巻き編物３が縫い付けられるタイツ本体１０は、図１に示すように、レッグ部４とパンティ部５とからなり、後述するように各種表糸やパイル糸、芯糸等の糸で編成された左右の各半身編物１１、１２と小襠片６の各パーツを縫製して構成されている。
【００２６】
レッグ部４の膝部４２とパンティ部５のバンド部５４は、ポリウレタン糸とナイロン製のカバリング糸からなるダブルカバリングヤーンと６６ナイロン糸からなるリブ編みにより構成され、他よりも高い緊締力が付与されており、タイツ本体１０のその他の部分は、同糸を用いた平編みで構成されている。
【００２７】
レッグ部４は、裾部４１、膝部４２、太腿部４３からなり、本例の裾部４１は、脛部を覆っているが、さらに足首部、さらには足先まで覆うものでもよい。また、膝部４２をリブ編み、裾部４１と太腿部４３を平編みで構成しているが、これ以外にさまざまな編み形態が採用でき、例えばレッグ部４全体をリブ編みで構成したり、リブ編み組織を設けずに構成することも勿論可能である。糸繊維の種類も上記以外のものを用いてもよい。
【００２８】
パンティ部のウエスト部５３から太腿部４３にいたる部分は、すべて同じ平編み組織で構成されているが、その編み密度は下方ほど密度を増して編成されており、下方に向けて次第に着圧力が大きくなるように設定され、履き心地やフィット感が良くなること以外に、脚の疲れやムクミを和らげ、血行の促進を助ける構造とされている。本例では、太腿部４３の下側の膝部４２はリブ編みにより更に着圧力が増しており、上記効果がさらに助長されることとなる。編み密度の変更以外に、ゴム糸（ダブルカバリングヤーン）の密度や編み方の変更によっても着圧力を同様に設定することができる。
【００２９】
膝部４２は、膝サポーター編物２が内面側からこれに重ねるように縫い付けられる部位であり、本例では、基本的にリブ編みで構成されるとともに、図１（ａ），（ｂ）に示すように前側部分および後側部分のそれぞれの略中央部に、平編みにより着圧力が他のリブ編み部分よりも低くなるように編み分けられた低着圧領域４４、４５が設けられている。
【００３０】
これら各低着圧領域４４、４５は、膝の曲げ伸ばしを容易にしてサポート性と屈曲容易性を両立させるためのものであり、特に前側部分の低着圧領域４４は膝に皿部に嵌り込んで当該タイツのズレ防止機能も果たすように円形または楕円形に構成されており、また、後側部分の低着圧領域４５は屈曲容易性を十分に担保するために方形または多角形とされている。
【００３１】
パンティ部５は、股部５１、下腹から臀部を覆う下腹部５２、腹部から腰部を覆うウエスト部５３、および上端のバンド部５４からなり、股部５１は、平編みのうちでも特にメッシュ編みで構成され蒸れが防止される。
【００３２】
膝サポーター編物２は、タイツ本体１０とは別に編成され、本例では、前側部分２１がポリウレタン糸の芯糸とナイロンの表糸を用いてパイル編みで構成され、後側部分２２が平編みで構成された筒状編物である。図２および図４（ａ）に示すように、前側部分の略中央部２０には、上記タイツ本体の膝部４２と同様の趣旨より、平編みにより円形または楕円形の低着圧領域が設けられている。すなわち、膝サポーター編物２は、前側部分の略中央部２０と後側部分２２の全面が低着圧領域とされ、前側部分２１の中央部以外の領域を高着圧領域に設定されている。なお、従来からと同様の膝サポーター編物を用いることもできる。
【００３３】
そして、本考案の膝サポーター編物２は、膝部４２の内側に上端縁および下端縁を編み付けることにより固定されている。したがって、膝サポーター編物２と膝部４２との間には、図３（ａ）に示すように空気層Ｓ２が形成され、これと膝サポーター編物２自体のパイル部の空気層Ｓ１の２つの空気層により保温効果の向上が望め、生地としても膝部４２と膝サポーター編物２の裏生地とパイル部の３層構造となり、保温性は勿論、サポート性能も向上する。
【００３４】
とくに、膝サポーターを一体編成していた従来のものでは、パイル部の裏生地となる外側面が弱く、ピリングを生じやすいといった問題があったが、本考案ではこの裏生地が空気層Ｓ２を介して更に外側にタイツ本体の膝部４２が位置するため、ピリングの問題は回避される。着用者の肌に接する膝サポーター編物２のパイル部は、一部または全体を起毛処理してもよい。
【００３５】
腹巻き編物３は、膝サポーター編物２と同様、タイツ本体１０とは別に編成され、ポリウレタン糸の芯糸とナイロンの表糸を用いてパイル編みで構成され、内側のパイル部を起毛処理した筒状編物である。このような起毛により着用者の腰部の保温性をさらに高めることができる。なお、従来からと同様の腹巻き編物を用いることができる。
【００３６】
本考案では、図３（ｂ）に示すように、腹巻き編物３とウエスト部５３との間にも空気層Ｓ４が形成され、これと腹巻き編物３自体のパイル部および起毛部の空気層Ｓ３の２つの空気層により保温効果の向上が望め、生地としてもウエスト部５３と腹巻き編物３の裏生地とパイル部の３層構造となり、保温性は勿論、サポート性能も向上する。
【００３７】
図４は、本実施形態のタイツ１の作製手順を示している。
【００３８】
本例では、図４（ａ）に示すように、まず左右の各半身編物１１、１２、小襠片６、膝サポーター編物２、腹巻き編物３をそれぞれ縫製し、（ｂ）に示すように裏返しにした各半身編物１１、１２のパンティ部５の真ん中を切り目を入れ、小襠片６とともに互いに縫合してタイツ本体１０を作成した後、（ｃ）に示すようにウエスト部の内面側に上端縁および下端縁をそれぞれ縫い付けるとともに、前記上端縁から下端縁に向けた縦方向に少なくとも一列（図中破線）縫い付けて腹巻き編物３を固定する。
【００３９】
ここで、腹巻き編物３は予め筒状の編成されたものを取付けているが、筒状でなく平面状の平らな編物に構成しておき、タイツ本体１０の縫合の際に同時にその内面側に縫い付けるものでも良い。縦方向に縫い付けることで、取り付けた腹巻き編物が左右にズレ動くことが防止でき、良好な着用感を維持できる。
【００４０】
次に、（ｄ）に示すように、表返したタイツ本体１０の裾部をまくり上げて、膝部４２の上端位置に膝サポーター編物２の上端縁を縫い付けた後、（ｅ）に示すように、まくり上げた裾部を膝部下端位置まで下ろし、そこに膝サポーター編物２の下端縁を縫い付けることにより、膝サポーター編物２が固定され、左右同様に固定することで、（ｆ）に示すように腹巻き編物３と膝サポーター編物２が固定されたタイツが完成する。
【００４１】
このようにして完成した本実施形態のタイツは、ウエスト部、膝部についてＪＩＳ−Ｌ−１０７６  Ａ法  ５時間のピリング測定で、ともに「５級」と判定され、ピリングが生じなく耐久性に優れていることが確認されている。また、各部位を着圧測定器（「Ｓａｌｚｍａｎｎ」ＳＡＬＺＭＡＮＮ  ＡＧ社製）で測定した結果、膝部の下半分が１６ｈＰａ、上半分が２０ｈＰａであり、優れたサポート性能を示し、下腹部から太腿部にかけての部分は、１ｈＰａ以下で次第に着圧力が増大し、段階着圧が実現されている。
【００４２】
以上本考案の実施形態について説明したが、本考案はこうした実施例に何ら限定されるものではなく、本考案の要旨を逸脱しない範囲において種々なる形態で実施し得ることは勿論である。
【図面の簡単な説明】
【００４３】
【図１】（ａ）は、本考案の代表的実施形態に係る圧迫固定サポーター付きタイツの正面図、（ｂ）は背面図。
【図２】同じくタイツの縦断面図。
【図３】（ａ）は、同じく膝サポーター編物を取り付けた膝部の断面図、（ｂ）は腹巻き編物を取り付けたウエスト部の断面図。
【図４】同じくタイツの作成手順を示す説明図。
【符号の説明】
【００４４】
１  圧迫固定サポーター付きタイツ
２  膝サポーター編物
３  腹巻き編物
４  レッグ部
５  パンティ部
６  小襠片
１０  タイツ本体
１１  各半身編物
２０  略中央部
２１  前側部分
２２  後側部分
４１  裾部
４２  膝部
４３  太腿部
４４  低着圧領域
４５  低着圧領域
５１  股部
５２  下腹部
５３  ウエスト部
５４  バンド部
Ｓ１〜Ｓ４  空気層
【図１】
0003123501.tif 000003
【図２】
0003123501.tif 000004
【図３】
0003123501.tif 000005
【図４】
0003123501.tif 000006